(57)【要約】【課題】管楽器の音の響きを良くすること。【解決手段】管楽器用金属製アタッチメントであって、管楽器のジョイント部分の外周面に沿うように着脱可能に取り付けられる螺旋形状の管楽器用金属製アタッチメント。【選択図】  図１
2020046508.tif 000002
【特許請求の範囲】
【請求項１】
管楽器のジョイント部分の外周面に沿うように着脱可能に取り付けられる螺旋形状の管楽器用金属製アタッチメント。
【請求項２】
少なくとも一方の端部に屈曲部を有する請求項１に記載の管楽器用金属製アタッチメント。
【請求項３】
前記ジョイント部分の外周面との接触面に滑り止め部材を有する請求項１または２に記載の管楽器用金属製アタッチメント。
【請求項４】
銅、真鍮、銀、アルミニウムおよび錫の少なくとも１つである請求項１乃至３のいずれか１項に記載の管楽器用金属製アタッチメント。
【請求項５】
前記管楽器は、本体とベルとマウスピースとを少なくとも有し、前記ジョイント部分は、前記管楽器の本体の接続部分、前記管楽器の本体とベルとの接続部分およびマウスピースと前記管楽器の本体との接続部分の少なくとも１つを含む請求項１乃至４のいずれか１項に記載の管楽器用金属製アタッチメント。
【請求項６】
前記管楽器は、クラリネット、サクソフォン、フルート、トロンボーンおよびトランペットの少なくとも１つを含む請求項１乃至５のいずれか１項に記載の管楽器用金属製アタッチメント。
【発明の詳細な説明】
【技術分野】
【０００１】
本発明は、管楽器用金属製アタッチメントに関する。
【背景技術】
【０００２】
上記技術分野において、特許文献１には、マウスピースと主管とを接続する吸込管を木材で形成したサクソフォンが開示されている。
【先行技術文献】
【特許文献】
【０００３】
【特許文献１】特開２００２−２３７３８号公報
【発明の概要】
【発明が解決しようとする課題】
【０００４】
しかしながら、上記文献に記載の技術では、音質を変えることはできるが、管楽器の音の響きを良くすることができなかった。
【０００５】
本発明の目的は、上述の課題を解決する技術を提供することにある。
【課題を解決するための手段】
【０００６】
上記目的を達成するため、本発明に係る管楽器用金属製アタッチメントは、
管楽器のジョイント部分の外周面に沿うように着脱可能に取り付けられる螺旋形状の管楽器用金属製アタッチメント。
【発明の効果】
【０００７】
本発明によれば、管楽器の音の響きを良くすることができる。
【図面の簡単な説明】
【０００８】
【図１】本発明の第１実施形態に係る管楽器用金属製アタッチメントの構成を示す図である。
【図２】本発明の第１実施形態に係る管楽器用金属製アタッチメントをサクソフォンに取り付けた様子を示す図である。
【図３Ａ】本発明の第１実施形態に係る管楽器用金属製アタッチメントをクラリネットに取り付けた様子を示す図である。
【図３Ｂ】本発明の第１実施形態に係る管楽器用金属製アタッチメントをクラリネットに取り付けた場合のベル部分の部分拡大正面図である。
【図３Ｃ】本発明の第１実施形態に係る管楽器用金属製アタッチメントをクラリネットに取り付けた場合のベル部分の部分拡大側面図である。
【図３Ｄ】本発明の第１実施形態に係る管楽器用金属製アタッチメントをクラリネットに取り付けた場合のアタッチメントの係止部の部分拡大図である。
【図３Ｅ】本発明の第１実施形態に係る管楽器用金属製アタッチメントの係止パーツをベルと一体成型した場合の一例を示す図である。
【図４】本発明の第１実施形態に係る管楽器用金属製アタッチメントをトロンボーンに取り付けた様子を示す図である。
【図５】本発明の第１実施形態に係る管楽器用金属製アタッチメントをトランペットに取り付けた様子を示す図である。
【図６】本発明の第１実施形態に係る管楽器用金属製アタッチメントをフルートに取り付けた様子を示す図である。
【図７】本発明の第２実施形態に係る管楽器用金属製アタッチメントの構成を示す図である。
【図８Ａ】本発明の第３実施形態に係る管楽器用金属製アタッチメントの構成を示す図である。
【図８Ｂ】本発明の第３実施形態に係る管楽器用金属製アタッチメントの他の構成を示す図である。
【図８Ｃ】本発明の第３実施形態に係る管楽器用金属製アタッチメントのさらに他の構成を示す図である。
【図８Ｄ】本発明の第３実施形態に係る管楽器用金属製アタッチメントの滑り止め部材の構成を示す図である。
【図８Ｅ】本発明の第３実施形態に係る管楽器用金属製アタッチメントの滑り止め部材の構成を示す断面図である。
【発明を実施するための形態】
【０００９】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１０】
［第１実施形態］
本発明の第１実施形態としての管楽器用金属製アタッチメント１００について、図１乃至図６を用いて説明する。図１に示すように、管楽器用金属製アタッチメント１００は、管楽器のジョイント部分の外周面に沿うように着脱可能に取り付けられる螺旋形状の管楽器用の金属製アタッチメントである。管楽器用金属製アタッチメント１００は、管楽器のジョイント部分に取り付けて使用される。
【００１１】
なお、管楽器用金属製アタッチメント１００の管楽器への取り付け方は、管楽器用金属製アタッチメント１００を直接管楽器へ密着するように取り付ける方法が代表的であるが、このような方法には限定されない。例えば、管楽器用金属製アタッチメント１００を固定可能な台座を備えた治具に、管楽器用金属製アタッチメント１００を取り付けてもよい。治具は、例えば、溶接などにより管楽器に取り付けてもよい。
【００１２】
管楽器用金属製アタッチメント１００は、柔らかい金属を用いて製造される。このような金属としては、例えば、銅、真鍮、銀、アルミニウムおよび錫などが代表的であるが、柔らかい金属であれば、これらの金属には限定されない。柔らかい金属を用いているので、加工が容易であり、そのため、管楽器用金属製アタッチメント１００を所望の形状に容易に加工することができる。
【００１３】
また、管楽器用金属製アタッチメント１００は、螺旋形状となっているが、螺旋の巻き回数は、例えば、管楽器用金属製アタッチメント１００を取り付ける管楽器の大きさや材質、形状などに応じた巻き回数とすることができる。また、螺旋の巻き回数は、音の振動を増幅させたい量に応じた巻き回数とすることもできる。すなわち、所望の振動の音が出るような巻き回数としてもよい。
【００１４】
さらに、管楽器用金属製アタッチメント１００のピッチ（螺旋と螺旋との間の間隔）や半径（螺旋の半径）の値は一定となっている。また、管楽器用金属製アタッチメント１００の長さなどの値も所定の値となっている。しかしながら、これらの値は、例えば、管楽器用金属製アタッチメント１００を取り付ける管楽器の大きさや材質、形状などに応じた値とすることができる。例えば、管楽器用金属製アタッチメント１００の半径やピッチの値を徐々に大きくなるようにしてもよい。また、これらの値は、音の振動を増幅させたい量に応じた値とすることができる。すなわち、所望の振動の音が出るような値としてもよい。
【００１５】
ここで、管楽器は、例えば、金管楽器や木管楽器であり、具体的には、クラリネットや、サクソフォン、フルート、トロンボーン、トランペット、ピッコロなどであるが、これらには限定されない。
【００１６】
また、ジョイント部分は、管楽器を構成するパーツ同士の接続部分であり、例えば、管楽器の本体の接続部分（本体を構成するパーツ同士の接続部分）や、管楽器の本体とベルとの接続部分、マウスピースと管楽器の本体との接続部分などであるが、これらには限定されない。なお、管楽器の本体（本体部分）は、例えば、マウスピースなどを除いた部分をいう。
【００１７】
そして、ジョイント部分には、例えば、コルクなどが設けられ、管楽器の各パーツ同士を接続する場合の補助となっている。このように、ジョイント部分にコルクが存在することにより、振動が遮断されてしまい、管楽器を演奏した際に、音の響きが悪くなる。すなわち、コルクなどの存在により、振動の増幅が阻害され、響きのよい音や音色のよい音が出にくくなる。
【００１８】
そこで、管楽器用金属製アタッチメント１００を管楽器のジョイント部分に取り付けると、管楽器用金属製アタッチメント１００を介して振動が増幅されて伝わるので、音の響きが良くなり、音色も良くなり、また、音の遠達性も向上する。
【００１９】
管楽器用金属製アタッチメント１００は、例えば、針金形状の金属を加工することにより得られる。また、管楽器用金属製アタッチメント１００の太さは、一定であるが、例えば、部分的に太さが異なってもよい。すなわち、管楽器用金属製アタッチメント１００は、太い部分と細い部分とから構成されてもよい。これにより、様々な音響効果が得られる。また、例えば、演奏者が、演奏中に、管楽器用金属製アタッチメント１００の位置を調整すれば、音の響きを変えたり、音色を変えたり、演奏に深みを出したり、様々な音響効果を付加することが可能となる。
【００２０】
図２は、本実施形態に係る管楽器用金属製アタッチメント１００をサクソフォン２００に取り付けた様子を示す図である。サクソフォン２００は、ベル２０１（ベル管）、１番管２０２、２番館２０３、吸込管２０４（ネック）およびマウスピース２０５を含む。管楽器がサクソフォン２００の場合、ジョイント部分は、例えば、１番管２０２と２番管２０３との接続部分、２番管２０３と吸込管２０４（ネック）との接続部分、吸込管２０４（ネック）とマウスピース２０５との接続部分などである。サクソフォン２００においては、例えば、１番管２０２、２番管２０３、吸込管２０４などが本体（本体部分）に相当する。
【００２１】
図２においては、１番管２０２と２番館２０３との接続部分（ジョイント部分）であって、ベル２０１に近い側および２番館２０３に近い側に、サクソフォン２００の外周面に沿うように管楽器用金属製アタッチメント１００を取り付けた例を示している。また、図２においては、サクソフォン２００の吸込管２０４（ネック）とマウスピース２０５との接続部分（ジョイント部分）に、サクソフォン２００の外周面に沿うように管楽器用金属製アタッチメント１００を取り付けた例を示している。
【００２２】
さらに、管楽器用金属製アタッチメント１００は、取り付けられる管楽器の形状に合わせて様々な形状とすることができる。例えば、管楽器用金属製アタッチメント１００を取り付ける管楽器が、サクソフォン２００のように、ベル（ベル管）に近づくにつれて、１番管や２番管の径（内径）が徐々に大きくなるテーパー形状であるとする。そうすると、管楽器用金属製アタッチメント１００は、螺旋の半径もこれらの形状に合わせて徐々に大きくなるような螺旋形状となる。また、管楽器用金属製アタッチメント１００のピッチも徐々に大きくなるような螺旋形状としてもよい。すなわち、管楽器用金属製アタッチメント１００は、管楽器用金属製アタッチメント１００が取り付けられる管楽器の形状に合わせて、螺旋の径（内径、外径、半径）が徐々に大きくまたは徐々に小さくなるような螺旋形状とすることができる。同様に、管楽器用金属製アタッチメント１００は、管楽器用金属製アタッチメント１００が取り付けられる管楽器の形状に合わせて、螺旋のピッチが徐々に大きくまたは徐々に小さくなるような螺旋形状とすることもできる。
【００２３】
管楽器用金属製アタッチメント１００の螺旋形状としては、管楽器用金属製アタッチメント１００が取り付けられる管楽器の形状や特性、出したい音の響き、音色などに応じて様々な螺旋形状を選択することができる。
【００２４】
さらに、管楽器用金属製アタッチメント１００の長さや、螺旋のピッチなども、管楽器用金属製アタッチメント１００を取り付ける管楽器の大きさや材質、形状などに応じて設定することができる。
【００２５】
なお、図２において、サクソフォン２００には、２個の管楽器用金属製アタッチメント１００が取り付けられている例を示しているが、サクソフォン２００に取り付けられる管楽器用金属製アタッチメント１００は、１個であっても、３個以上であってもよい。すなわち、管楽器用金属製アタッチメント１００は、サクソフォン２００が有するジョイント部分の数に応じた個数を取り付けることができる。
【００２６】
図３Ａは、本実施形態に係る管楽器用金属製アタッチメント１００をクラリネット３００に取り付けた様子を示す図である。クラリネット３００は、ベル３０１（ベル管）、下管３０２、上管３０３、バレル３０４およびマウスピース３０５を含む。管楽器がクラリネット３００の場合、ジョイント部分は、例えば、ベル３０１（ベル管）と下管３０２との接続部分や、下管３０２と上管３０３との接続部分、上管３０３とバレル３０４との接続部分、バレル３０４とマウスピース３０５との接続部分などである。クラリネット３００においては、例えば、ベル３０１、下管３０２、上管３０３、バレル３０４などが本体（本体部分）に相当する。
【００２７】
図３Ａにおいては、ベル３０１と下管３０２とのジョイント部分にクラリネット３００の外周面に沿うように管楽器用金属製アタッチメント１００を取り付けた例を示している。同様に、上管３０３（楽器本体）とバレル３０４とのジョイント部分、バレル３０４とマウスピース３０５とのジョイント部分にも管楽器用金属製アタッチメント１００が取り付けられている。また、クラリネット３００は、下管３０２と上管３０３とは、太さが変わらないので、例えば、これらのジョイント部分に取り付けられる管楽器用金属製アタッチメント１００は、半径が変わらない螺旋形状とすることができる。
【００２８】
そして、管楽器用金属製アタッチメント１００は、螺旋形状をしているので、クラリネット３００の外周面に沿うように取り付けることができる。また、管楽器用金属製アタッチメント１００は、クラリネット３００との間の隙間が極力少なくなるように取り付けられる。
【００２９】
しかしながら、クラリネット３００に取り付けられる管楽器用金属製アタッチメント１００の個数は、２個以上であってもよい。すなわち、管楽器用金属製アタッチメント１００は、クラリネット３００が有するジョイント部分の数に応じた個数を取り付けることができる。
【００３０】
図３Ｂは、本１実施形態に係る管楽器用金属製アタッチメントをクラリネットに取り付けた場合のベル部分の部分拡大正面図である。図３Ｃは、本実施形態に係る管楽器用金属製アタッチメントをクラリネットに取り付けた場合のベル部分の部分拡大側面図である。
【００３１】
管楽器用金属製アタッチメント１００は、端部にねじ切りされた係止部１０１を有している。そして、クラリネット３００のベル３０１に取り付けられた係止パーツ３１０のリング部３１１に、係止部１０１が通されている。リング部３１１に通された係止部１０１は、例えば、ボルト３２０（六角ボルト）などにより、ねじ止めされている。
【００３２】
このように、管楽器用金属製アタッチメント１００をボルト３２０でねじ止めすることにより、管楽器用金属製アタッチメント１００を確実に固定できる。
【００３３】
図３Ｄは、本実施形態に係る管楽器用金属製アタッチメントをクラリネットに取り付けた場合のアタッチメントの係止部の部分拡大図である。図示したように、リング部３１１に通された管楽器用金属製アタッチメント１００の係止部１０１は、ボルト３２０がリング部３１１に密着するように締め付けられることにより、係止パーツ３１０に固定されている。
【００３４】
図３Ｅは、本実施形態に係る管楽器用金属製アタッチメントの係止パーツをベルと一体成型した場合の一例を示す図である。図示したように、係止パーツ３１０は、ベル３０１と一体成型してもよい。また、ベル３０１とは別の部品として、後からベル３０１に取り付けるようにしてもよい。係止パーツ３１０をベル３０１と一体成型した場合は、管楽器用金属製アタッチメント１００の取り付け専用のベル３０１としてもよい。
【００３５】
同様に、係止パーツ３１０は、バレル３０４と一体成型してもよい。また、バレル３０４とは別の部品として、後からバレル３０４に取り付けるようにしてもよい。係止パーツ３１０をバレル３０４と一体成型した場合は、管楽器用金属製アタッチメント１００の取り付け専用のバレル３０４としてもよい。なお、ここでは、クラリネット３００へ係止パーツ３１０を取り付けた（設けた）例で説明をしたが、係止パーツ３１０は、その他の管楽器に取り付けたり、設けたりしてもよい。
【００３６】
図４は、本実施形態に係る管楽器用金属製アタッチメント１００をトロンボーン４００に取り付けた様子を示す図である。トロンボーン４００は、ベル４０１、主管４０２（主管抜差管、Ｆ管）、スライド管４０３、マウスピース４０４およびマウスパイプ４０５を含む。管楽器がトロンボーン４００の場合、ジョイント部分は、例えば、主管４０２とスライド管４０３（停止帯管）との接続部分、スライド管４０３とマウスピース４０４との接続部分などである。また、ジョイント部分は、マウスピース４０４とマウスパイプ４０５との接続部分、チューニングスライド４０６と主管４０２との接続部分などである。トロンボーン４００においては、例えば、ベル４０１（ベル管）を含む主管４０２、スライド管４０３、マウスパイプ４０５、チューニングスライド４０６などが本体（本体部分）に相当する。
【００３７】
なお、図４においては、主管４０２とチューニングスライド４０６とのジョイント部分にトロンボーン４００の外周面に沿うように管楽器用金属製アタッチメント１００を取り付けた例を示している。同様に、マウスピース４０４とマウスパイプ４０５とのジョイント部分、チューニングスライド４０６と主管４０２（楽器本体）とのジョイント部分にも管楽器用金属製アタッチメント１００が取り付けられている。管楽器用金属製アタッチメント１００は、螺旋形状をしているので、トロンボーン４００の外周面に沿うように取り付けることができる。また、管楽器用金属製アタッチメント１００は、トロンボーン４００との間の隙間が極力少なくなるように取り付けられる。
【００３８】
しかしながら、トロンボーン４００に取り付けられる管楽器用金属製アタッチメント１００の個数は、１個であっても、２個以上であってもよい。すなわち、管楽器用金属製アタッチメント１００は、トロンボーン４００が有するジョイント部分の数に応じた個数を取り付けることができる。
【００３９】
図５は、本実施形態に係る管楽器用金属製アタッチメント１００をトランペット５００に取り付けた様子を示す図である。トランペット５００は、ベル５０１（ベル管）、主管５０２、マウスパイプ５０３、マウスピース５０４および主管抜差管５０５を含む。管楽器がトランペット５００の場合、ジョイント部分は、例えば、主管５０２とマウスパイプ５０３との接続部分や、マウスパイプ５０３とマウスピース５０４との接続部分などである。トランペット５００においては、例えば、主管５０２、マウスパイプ５０３、主管抜差管５０５などが本体（本体部分）に相当する。
【００４０】
なお、図５においては、マウスパイプ５０３とマウスピース５０４とのジョイント部分、主管抜差管５０５と本体とのジョイント部分（支柱５０６の上下の位置）に管楽器用金属製アタッチメント１００が取り付けられている。管楽器用金属製アタッチメント１００は、螺旋形状をしているので、トランペット５００の外周面に沿うように取り付けることができる。また、管楽器用金属製アタッチメント１００は、トランペット５００との間の隙間が極力少なくなるように取り付けられる。
【００４１】
また、トランペット５００に取り付けられる管楽器用金属製アタッチメント１００の個数は、１個であっても、２個以上であってもよい。すなわち、管楽器用金属製アタッチメント１００は、トランペット５００が有するジョイント部分の数に応じた個数を取り付けることができる。
【００４２】
図６は、本実施形態に係る管楽器用金属製アタッチメント１００をフルート６００に取り付けた様子を示す図である。管楽器がフルート６００の場合、ジョイント部分は、例えば、足部管６０１と主管６０２との接続部分や、主管６０２と頭部管６０３との接続部分などである。フルート６００においては、例えば、足部管６０１、主管６０２、頭部管６０３などが本体（本体部分）に相当する。
【００４３】
なお、図６においては、主管６０２と頭部管６０３とのジョイント部分にフルート６００の外周面に沿うように管楽器用金属製アタッチメント１００を取り付けた例を示している。管楽器用金属製アタッチメント１００は、螺旋形状をしているので、フローと６００の外周面に沿うように取り付けることができる。また、管楽器用金属製アタッチメント１００は、フルート６００との間の隙間が極力少なくなるように取り付けられる。
【００４４】
しかしながら、フルート６００に取り付けられる管楽器用金属製アタッチメント１００の個数は、１個であっても、２個以上であってもよい。すなわち、管楽器用金属製アタッチメント１００は、フルート６００が有するジョイント部分の数に応じた個数を取り付けることができる。  本実施形態によれば、管楽器の音の響きを良くすることができる。また、着脱が容易で、取り付け後も取り付け位置を微調整することができるので、管楽器の音の響きを調整することができる。
引っ掛かりの部分があるので、所望の位置にしっかりと固定することができ、位置がずれることがない。
【００４５】
［第２実施形態］
次に本発明の第２実施形態に係る管楽器用金属製アタッチメント７００について、図７を用いて説明する。図７は、本実施形態に係る管楽器用金属製アタッチメント７００の構成を説明するための図である。本実施形態に係る管楽器用金属製アタッチメント７００は、上記第１実施形態と比べると、管楽器用金属製アタッチメント７００が両端部に屈曲部７０１，７０２を有する点で異なる。その他の構成および動作は、第２実施形態と同様であるため、同じ構成および動作については同じ符号を付してその詳しい説明を省略する。
【００４６】
管楽器用金属製アタッチメント７００は、両端部に屈曲部７０１，７０２を有している。管楽器用金属製アタッチメント７００の両端部の屈曲部７０１，７０２は、例えば、管楽器に取り付けた場合に、管楽器側に向くように折れ曲がっている。つまり、端部を折り曲げることにより、管楽器のとの接触性、つまり、屈曲部７０１，７０２が、爪のように管楽器の本体部分に引っ掛かり、取り付けた管楽器用金属製アタッチメント７００が滑り落ちたり、動いたり、ずれたりすることがない。
【００４７】
なお、屈曲部７０１，７０２は、管楽器用金属製アタッチメント７００の両端部ではなく、少なくとも一方の端部に設けてもよい。つまり、管楽器用金属製アタッチメント７００の下側の端部（ベル側の端部）、または、上側の端部（マウスピース側の端部）に設けてもよい。
【００４８】
本実施形態によれば、管楽器用金属製アタッチメントを確実に取り付け、固定することができる。したがって、管楽器用金属製アタッチメントが、演奏中に、ずれたり、動いたりすることがない。また、螺旋形状の管楽器用金属製アタッチメントとしたので、管楽器への着脱が容易で、取扱いも容易である。
【００４９】
［第３実施形態］
次に本発明の第３実施形態に係る管楽器用金属製アタッチメント８００について、図８Ａおよび図８Ｅを用いて説明する。図８Ａは、本実施形態に係る管楽器用金属製アタッチメント８００の構成を説明するための図である。本実施形態に係る管楽器用金属製アタッチメント８００は、上記第１実施形態および第２実施形態と比べると、管楽器用金属製アタッチメント８００が両端部にキャップ８０１，８０２を有する点で異なる。その他の構成および動作は、第１実施形態および第２実施形態と同様であるため、同じ構成および動作については同じ符号を付してその詳しい説明を省略する。
【００５０】
管楽器用金属製アタッチメント８００の両端部には、滑り止め部材としてのキャップ８０１，８０２が取り付けられている。キャップ８０１，８０２は、滑り止めの役割を果たす。キャップ８０１，８０２の材質は、例えば、ゴムやプラスチック、フェルトなどであるが、これらには限定されない。また、ここでは、管楽器用金属製アタッチメントの両端部にキャップ８０１，８０２を被せた例で説明したが、例えば、片方の端部にキャップ８０１，８０２を被せてもよい。なお、キャップ８０１，８０２の大きさは、音の振動が増幅するような（音の振動が減衰しないような）大きさであれば、いずれの大きさであってもよい。また、キャップ８０１，８０２は、管楽器用金属製アタッチメント８００の少なくとも一方の端部に被せてもよい。つまり、管楽器用金属製アタッチメント８００の下側の端部（ベル側の端部）、または、上側の端部（マウスピース側の端部）に被せてもよい。なお、キャップ８０１，８０２は、上記第２実施形態に示した屈曲部７０１，７０２に取り付けてもよい。
【００５１】
図８Ｂは、本実施形態に係る管楽器用金属製アタッチメント８１０の他の構成を説明するための図である。管楽器用金属製アタッチメント８１０は、滑り止め部材８１１を有する。滑り止め部材８１１は、管楽器のジョイント部分の外周面との接触面に設けられている。つまり、滑り止め部材８１１は、管楽器用金属製アタッチメント８１０の内周面（ジョイント部分の外周面と接触する面）に設けられている。滑り止め部材８１１は、例えば、薄い板状のゴムやフェルト、布などであるが、滑り止め効果を有するものであれば、これらには限定されない。なお、ここでは、滑り止め部材８１１は、管楽器用金属製アタッチメント８１０の内周面の全体に取り付けられた例で説明をしたが、滑り止め部材８１１は、管楽器用金属製アタッチメント８１０の内周面の一部に取り付けてもよい。
【００５２】
図８Ｃは、本実施形態に係る管楽器用金属製アタッチメントのさらに他の構成を示す図である。図８Ｄは、本実施形態に係る管楽器用金属製アタッチメントの滑り止め部材の構成を示す図である。図８Ｅは、本実施形態に係る管楽器用金属製アタッチメントの滑り止め部材の構成を示す断面図である。管楽器用金属製アタッチメント８２０の両端部には、滑り止め部材８２１，８２２が取り付けられ、固定されている。滑り止め部材８２１，８２２は、ドーム状の形状をしている。
【００５３】
また、図８Ｄに示したように、滑り止め部材８２１，８２２を取り外すと、管楽器用金属製アタッチメント８２０にも、滑り止め部材８２１，８２２と同様にねじ山が切られた突起部８２３が設けられている。そして、滑り止め部材８２１，８２２を、突起部８２３にネジ込むことにより、管楽器用金属製アタッチメント８２０と滑り止め部材８２１，８２２とが結合する。突起部８２３は、管楽器用金属製アタッチメント８２０と同じ材料から作られてもよいし、異なる材料から作られてもよい。また、突起部８２３は、メッキ加工されてもよい。
【００５４】
そして、図８Ｅに示したように、滑り止め部材８２１，８２２は、断面が半楕円形状をしている。滑り止め部材８２１，８２２の内部には、ねじ山が切られている。滑り止め部材８２１，８２２の内部に切られているねじ山は、管楽器用金属製アタッチメント８２０の突起部８２３のねじ山と、雄ねじ、雌ねじの関係にある。
【００５５】
このように、滑り止め部材８２１，８２２は、ドーム状の形状（断面形状が半楕円形状）をしているので、管楽器用金属製アタッチメント８２０を管楽器に取り付けた場合でも、管楽器を傷付けることがない。なお、ここでは、滑り止め部材８２１，８２２は、ドーム状の形状としたが、滑り止め部材８２１，８２２の形状はこれには限定されない。
【００５６】
本実施形態によれば、管楽器に傷を付けることなく、管楽器用金属製アタッチメントを確実に取り付け、固定することができる。管楽器用金属製アタッチメントの追加の加工をすることなく、キャップを被せるだけで、管楽器用金属製アタッチメントを管楽器に確実に固定できる。したがって、管楽器用金属製アタッチメントが、演奏中に、ずれたり、動いたりすることがない。
【００５７】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【図１】
2020046508.tif 000003
【図２】
2020046508.tif 000004
【図３Ａ】
2020046508.tif 000005
【図３Ｂ】
2020046508.tif 000006
【図３Ｃ】
2020046508.tif 000007
【図３Ｄ】
2020046508.tif 000008
【図３Ｅ】
2020046508.tif 000009
【図４】
2020046508.tif 000010
【図５】
2020046508.tif 000011
【図６】
2020046508.tif 000012
【図７】
2020046508.tif 000013
【図８Ａ】
2020046508.tif 000014
【図８Ｂ】
2020046508.tif 000015
【図８Ｃ】
2020046508.tif 000016
【図８Ｄ】
2020046508.tif 000017
【図８Ｅ】
2020046508.tif 000018
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
管楽器を構成する第１パーツと第２パーツとの接続部分であるジョイント部分の外周面に密着するように着脱可能に取り付けられ、前記管楽器を演奏した際に、振動が前記ジョイント部分で遮断されずに増幅されて前記第１パーツから前記第２パーツへ伝達される螺旋形状の管楽器用金属製アタッチメント。
【請求項２】
少なくとも一方の端部に屈曲部を有する請求項１に記載の管楽器用金属製アタッチメント。
【請求項３】
前記ジョイント部分の外周面との接触面に滑り止め部材を有する請求項１または２に記載の管楽器用金属製アタッチメント。
【請求項４】
銅、真鍮、銀、アルミニウムおよび錫の少なくとも１つである請求項１乃至３のいずれか１項に記載の管楽器用金属製アタッチメント。
【請求項５】
前記管楽器は、本体とベルとマウスピースとを少なくとも有し、前記ジョイント部分は、前記管楽器の本体の接続部分、前記管楽器の本体とベルとの接続部分およびマウスピースと前記管楽器の本体との接続部分の少なくとも１つを含む請求項１乃至４のいずれか１項に記載の管楽器用金属製アタッチメント。
【請求項６】
前記管楽器は、クラリネット、サクソフォン、フルート、トロンボーンおよびトランペットの少なくとも１つを含む請求項１乃至５のいずれか１項に記載の管楽器用金属製アタッチメント。
【手続補正２】
【補正対象書類名】明細書
【補正対象項目名】０００６
【補正方法】変更
【補正の内容】
【０００６】
上記目的を達成するため、本発明に係る管楽器用金属製アタッチメントは、
管楽器を構成する第１パーツと第２パーツとの接続部分であるジョイント部分の外周面に密着するように着脱可能に取り付けられ、前記管楽器を演奏した際に、振動が前記ジョイント部分で遮断されずに増幅されて前記第１パーツから前記第２パーツへ伝達される螺旋形状の管楽器用金属製アタッチメント。